(57)【要約】【課題】触感呈示用の圧電素子と、音伝達用の圧電素子との双方をパネルに配設しても、触感を呈示する際の振動の減衰を低減することができる電子機器を提供する。【解決手段】電子機器１は、パネル１０と、パネル１０に取り付けられた第１圧電素子３１および第２圧電素子３２と、第２圧電素子３２を駆動することにより音を出力するように制御し、パネル１０が接触を検出すると第１圧電素子３１を駆動するように制御する制御部５０と、を備え、制御部５０は、パネル１０が接触を検出すると、第１圧電素子３１に加えて第２圧電素子３２も駆動するように制御することを特徴とする。【選択図】図１
2013228886.tif 000002
【特許請求の範囲】
【請求項１】
パネルと、
前記パネルに取り付けられた第１圧電素子および第２圧電素子と、
前記第２圧電素子を駆動することにより音を出力するように制御し、前記パネルが接触を検出すると前記第１圧電素子を駆動するように制御する制御部と、を備え、
前記制御部は、前記パネルが接触を検出すると、前記第１圧電素子に加えて前記第２圧電素子も駆動するように制御する
ことを特徴とする電子機器。
【請求項２】
パネルと、
前記パネルに取り付けられ、当該パネルに対する押圧を検出する第１圧電素子と、
前記パネルに取り付けられた第２圧電素子
前記第２圧電素子を駆動することにより音を出力するように制御し、前記パネルが接触を検出したまま前記第１圧電素子が検出する押圧に基づくデータが所定の基準を満たしたら当該第１圧電素子を駆動するように制御する制御部と、を備え、
前記制御部は、前記パネルが接触を検出したまま前記第１圧電素子が検出する押圧に基づくデータが所定の基準を満たしたら、前記第１圧電素子に加えて前記第２圧電素子も駆動するように制御する
ことを特徴とする電子機器。
【請求項３】
パネルと、
触感を呈示するための第１圧電素子と、
音を伝えるための第２圧電素子と、
制御部と、を備え、
前記第１圧電素子および前記第２圧電素子は、前記パネルに取り付けられ、
前記制御部は、前記パネルが接触を検出すると、前記第１圧電素子に加えて前記第２圧電素子も駆動するように制御する
ことを特徴とする電子機器。
【請求項４】
前記パネルに対する押圧を検出する押圧検出部を備え、
前記制御部は、前記パネルが接触を検出しており、かつ前記押圧検出部が検出する押圧に基づくデータが所定の基準を満たしたら、前記第１圧電素子に加えて前記第２圧電素子も駆動するように制御する、請求項３に記載の電子機器。
【発明の詳細な説明】
【技術分野】
【０００１】
本発明は、タッチパネルのようなパネルを備える電子機器に関するものである。
【背景技術】
【０００２】
近年、スマートフォン等の携帯端末、タブレット型ＰＣ、電卓、券売機等の情報機器、電子レンジ、テレビ、照明器具等の家電製品、産業用機器（ＦＡ機器）等には、ユーザによる操作を検出する部材として、タッチパネルを備える電子機器が広く使用されている。
【０００３】
このようなタッチパネルには、抵抗膜方式、静電容量方式、光学式等の種々の方式が知られている。しかしながら、いずれの方式のタッチパネルにおいても、ユーザの指やスタイラスペンによる操作を検出するものであって、タッチパネル自体は、タッチされても、押しボタンスイッチのようには物理的に変位しない。このため、ユーザは、タッチパネルに対して操作を行っても、当該操作に対するフィードバックを得ることはできない。
【０００４】
そこで、タッチパネルに対する操作が検出されると、振動を発生するフィードバック方法が提案されている（例えば、特許文献１参照）。特許文献１においては、振動部として圧電素子を採用した例が記載されている。この振動部は、圧電素子を伸縮させることにより、タッチパネルを湾曲させて振動を発生することができる。このようにして、特許文献１に記載の入力装置は、ユーザがタッチパネルを操作する際の触感を呈示することができる。
【先行技術文献】
【特許文献】
【０００５】
【特許文献１】特開２０１１−３４１５０号公報
【発明の概要】
【発明が解決しようとする課題】
【０００６】
ところで、圧電素子に所定の電気信号（音声信号）を印加することでパネルを振動させ、当該パネルの振動を人体に伝達させることにより気導音と人体振動音とを利用者に伝える機能を備えるパネル装置がある。
【０００７】
このような音伝達用の圧電素子と、特許文献１に記載のような触感呈示用の圧電素子とを１つのパネルに設置することにより、１つの機器で触感の呈示および音の伝達の双方を実現することができる。
【０００８】
しかしながら、このように用途の異なる複数の圧電素子を１つのパネルに貼り付けて設置すると、触感呈示用の圧電素子を駆動して振動を発生させる際に、パネルに固定された音伝達用の圧電素子が、触感呈示用の圧電素子の振動を阻害することが想定される。したがって、このような場合、触感呈示用の圧電素子が呈示する触感が弱くなり、ユーザが操作した際に良好な触感が得られなくなるという懸念がある。
【０００９】
特に、このような装置に防塵または防水などの加工を施す場合、一般的に、パネルと筐体との間に防塵または防水用のクッション材などを挟み込む手法などが良く用いられる。特に、このような装置に防塵または防水などの加工を施す場合、一般的に、パネルと筐体との間に防塵または防水用のクッション材などを挟み込んだり、パネルを筐体に隙間なく貼り付けたりする手法などが良く用いられる。このような場合、触感呈示用の圧電素子の振動はさらに阻害されるため、ユーザが操作した際に得られる触感がいっそう良好でなくなることが懸念される。
【００１０】
このような問題は、触感呈示用の圧電素子の他に、上述したように気導音と人体振動音との双方を伝達するための圧電素子を配置する際以外にも生じることが考えられる。例えば、触感呈示用の圧電素子の他に、気導音と人体振動音との一方を伝達するための圧電素子や、共振周波数が異なる触感呈示用の圧電素子をさらに設置した場合にも、同様の問題が生じ得る。
【００１１】
かかる事情に鑑みてなされた本発明の目的は、触感呈示用の圧電素子と、音伝達用の圧電素子との双方をパネルに配設しても、触感を呈示する際の振動の減衰を低減することができる電子機器を提供することにある。
【００１２】
上記目的を達成する第１の観点に係る電子機器の発明は、
パネルと、
前記パネルに取り付けられた第１圧電素子および第２圧電素子と、
前記第２圧電素子を駆動することにより音を出力するように制御し、前記パネルが接触を検出すると前記第１圧電素子を駆動するように制御する制御部と、を備え、
前記制御部は、前記パネルが接触を検出すると、前記第１圧電素子に加えて前記第２圧電素子も駆動するように制御する
ことを特徴とするものである。
【００１３】
上記目的を達成する第２の観点に係る電子機器の発明は、
パネルと、
前記パネルに取り付けられ、当該パネルに対する押圧を検出する第１圧電素子と、
前記パネルに取り付けられた第２圧電素子
前記第２圧電素子を駆動することにより音を出力するように制御し、前記パネルが接触を検出したまま前記第１圧電素子が検出する押圧に基づくデータが所定の基準を満たしたら当該第１圧電素子を駆動するように制御する制御部と、を備え、
前記制御部は、前記パネルが接触を検出したまま前記第１圧電素子が検出する押圧に基づくデータが所定の基準を満たしたら、前記第１圧電素子に加えて前記第２圧電素子も駆動するように制御する
ことを特徴とするものである。
【００１４】
上記目的を達成する第３の観点に係る電子機器の発明は、
パネルと、
触感を呈示するための第１圧電素子と、
音を伝えるための第２圧電素子と、
制御部と、を備え、
前記第１圧電素子および前記第２圧電素子は、前記パネルに取り付けられ、
前記制御部は、前記パネルが接触を検出すると、前記第１圧電素子に加えて前記第２圧電素子も駆動するように制御する
ことを特徴とするものである。
【００１５】
第４の観点に係る発明は、第３の観点に係る電子機器において、
前記パネルに対する押圧を検出する押圧検出部を備え、
前記制御部は、前記パネルが接触を検出しており、かつ前記押圧検出部が検出する押圧に基づくデータが所定の基準を満たしたら、前記第１圧電素子に加えて前記第２圧電素子も駆動するように制御するものである。
【発明の効果】
【００１６】
本発明に係る電子機器によれば、触感呈示用の圧電素子と、音伝達用の圧電素子との双方をパネルに配設しても、触感を呈示する際の振動の減衰を低減することができる。
【図面の簡単な説明】
【００１７】
【図１】本発明の実施形態に係る電子機器の機能ブロック図である。
【図２】本発明の実施形態に係る電子機器による処理を説明するフローチャートである。
【発明を実施するための形態】
【００１８】
（第１実施形態）
以下、本発明の第１実施形態に係る電子機器の実施形態について、図を参照して説明する。本発明に係る電子機器は、タッチパネルを備えた携帯電話やスマートフォン、タブレット型ＰＣ、ノートＰＣ等とすることができる。しかしながら、本発明はこれらの携帯型の機器に限定されるものではなく、タッチパネルを備えたデスクトップＰＣ、家電製品、産業用機器（ＦＡ機器）、家電製品、専用端末等、種々の電子機器とすることができる。
【００１９】
図１は、本発明の第１実施形態に係る電子機器の機能ブロック図である。
【００２０】
図１に示すように、本発明の第１実施形態に係る電子機器１は、パネル１０、表示部２０、第１圧電素子３１、第２圧電素子３２、入力部４０、および制御部５０を備えている。
【００２１】
パネル１０は、接触を検出するタッチパネル、または表示部２０を保護するカバーパネル等とすることができる。パネル１０は、例えばガラス、またはアクリル等の合成樹脂により形成するのが望ましい。パネル１０は、例えばガラス、またはアクリル等の合成樹脂により形成される。パネル１０の形状は板状であるとよい。パネル１０は、平板としてもよいし、表面が滑らかに傾斜する曲面パネルとすることもできる。パネル１０は、タッチパネルとする場合、ユーザの指やスタイラスペン等の接触を検出する。タッチパネルの検出方式は、静電容量方式、抵抗膜方式、光学式、表面弾性波方式（または超音波方式）、赤外線方式、電磁誘導方式、および荷重検出方式等の任意の方式のものを用いることができる。
【００２２】
また、パネル１０は、適切な手段によって、振動可能なようにして筐体などに配設するのが好適である。すなわち、パネル１０の各端辺全てを筐体などに強固に固定してしまうと、パネル１０を振動させる際の振幅を稼ぐことができず、ユーザに良好な触感を呈示することができなくなる。したがって、例えば弾性部材を介してパネル１０を筐体に配設したり、パネル１０を部分的に筐体に固定したりするなどして、パネル１０を振動可能なようにして筐体などに配設するようにするのが好適である。
【００２３】
このパネル１０は、タッチパネルのような部材で構成する場合、ユーザの指やスタイラスペンなどのタッチ面に対する接触を検出し、当該接触の位置の情報を出力する。この出力により、制御部５０は、パネル１０によって検出された接触の位置を取得することができる。
【００２４】
表示部２０は、液晶ディスプレイ、有機ＥＬディスプレイ、または無機ＥＬディスプレイ等の表示デバイスである。表示部２０は、画面上に各種の情報や画像およびキーやボタン等のオブジェクトを表示することができる。表示部２０は、パネル１０の背面に設けられる。表示部２０は、接合部材（例えば接着剤）によりパネル１０の背面に配設される。表示部２０は、パネル１０と離間して配設され、電子機器１の筐体により支持されてもよい。なお、パネル１０をタッチパネルのような部材で構成する場合、パネル１０を例えば透明の部材などで構成して、その背面側に表示部２０を配置するのが好適である。この場合、表示部２０にキーやボタン等のオブジェクトを描画して表示し、当該オブジェクトに対してユーザが押圧する操作をパネル１０上で検出することができる。
【００２５】
第１圧電素子３１および第２圧電素子３２は、電気信号（電圧）を印加することで、構成材料の電気機械結合係数に従い伸縮または屈曲する素子である。これらの圧電素子は、例えばセラミック製や水晶からなるものが用いられる。第１圧電素子３１および第２圧電素子３２は、ユニモルフ、バイモルフまたは積層型圧電素子とすることができる。積層型圧電素子には、バイモルフを積層した（例えば１６層または２４層積層した）積層型バイモルフ素子が含まれる。積層型の圧電素子は、例えばＰＺＴ（チタン酸ジルコン酸鉛）からなる複数の誘電体層と、該複数の誘電体層間に配置された電極層との積層構造体から構成される。ユニモルフは、電気信号（電圧）が印加されると伸縮し、バイモルフは、電気信号（電圧）が印加されると屈曲する。
【００２６】
第１圧電素子３１および第２圧電素子３２は、パネル１０の背面（電子機器１の内部側の面）に配置されるようにするのが好適である。第１圧電素子３１および第２圧電素子３２は、接合部材（例えば両面テープ）によりパネル１０に取り付けられる。また、第１圧電素子３１および第２圧電素子３２は、中間部材（例えば板金）を介してパネル１０に取り付けられてもよい。第１圧電素子３１および第２圧電素子３２は、パネル１０の背面に配置された状態で、筐体の内部側の表面と所定の距離だけ離間している。第１圧電素子３１および第２圧電素子３２は、伸縮または屈曲した状態でも、筐体の内部側の表面と所定の距離だけ離間するようにするのが好適である。すなわち、第１圧電素子３１および第２圧電素子３２と筐体の内部側の面との間の距離は、第１圧電素子３１および第２圧電素子３２の最大変形量よりも大きくなるようにするのが好適である。
【００２７】
本実施形態において、第１圧電素子３１は、主として触感を呈示するために用いられる圧電素子とする。したがって、第１圧電素子３１は、制御部５０からの電気信号に基づいて、所定の触感を呈示するのに好適な周波数特性を有するように設計されたものを採用するのが望ましい。一方、本実施形態において、第２圧電素子３２は、主として音を伝達するために用いられる圧電素子とする。したがって、第２圧電素子３２は、制御部５０からの電気信号に基づいて、所定の音を伝達するのに好適な周波数特性を有するように設計されたものを採用するのが望ましい。
【００２８】
入力部４０は、利用者の入力操作を検出するものであり、例えば、操作ボタン（操作キー）から構成される。なお、パネル１０がタッチパネルである場合には、パネル１０も、利用者からの接触を検出することができる。
【００２９】
制御部５０は、電子機器１を制御するプロセッサである。制御部５０は、第１圧電素子３１および第２圧電素子３２に所定の電気信号を印加する。制御部５０は、パネル１０が接触を検出すると、第１圧電素子３１に電気信号を印加し、第１圧電素子３１を駆動する。
【００３０】
また、制御部５０は、第２圧電素子３２に電気信号を印加し、第２圧電素子３２を駆動し音出力を制御する。このように、制御部５０は、第２圧電素子３２を駆動することにより音出力を制御する場合、所定のアプリケーション等からの音出力のトリガーに基づいて（音声信号等に基づいて）第２圧電素子３２を駆動するように制御することができる。
【００３１】
なお、制御部５０が第２圧電素子３２に対して印加する電圧は、例えば、人体振動音ではなく気導音による音の伝導を目的とした、いわゆるパネルスピーカの印加電圧である±５Ｖよりも高い、±１５Ｖであってよい。これにより、ユーザが例えば３Ｎ以上の力（５Ｎ〜１０Ｎの力）で自身の体にパネル１０を押し付けた場合であっても、パネル１０に十分な振動を発生させ、ユーザの体の一部を介する人体振動音を発生させることができる。なお、どの程度の印加電圧を用いるかは、パネル１０の筐体または支持部材に対する固定強度もしくは第１圧電素子３１または第２圧電素子３２の性能に応じて適宜調整することかできる。
【００３２】
制御部５０が第１圧電素子３１および第２圧電素子３２に電気信号を印加すると、電気信号が印加された第１圧電素子３１および第２圧電素子３２は、各素子の長辺方向に伸縮する。このとき、第１圧電素子３１および第２圧電素子３２が取り付けられたパネル１０は、第１圧電素子３１および第２圧電素子３２の伸縮にあわせて変形し、パネル１０が振動する。
【００３３】
第２圧電素子３２が伸縮し、パネル１０が振動した場合、パネル１０は、気導音を発生させるとともに、ユーザが体の一部（例えば外耳の軟骨）を接触させた場合には、体の一部を介する人体振動音を発生させる。そして、制御部５０は、パネル１０に接触している対象物に対して気導音と人体振動音とを伝える。例えば、制御部５０は、例えば通話相手の音声に係る音声信号に応じた電気信号を第２圧電素子３２に印加させ、その音声信号に対応する気導音および人体振動音を発生させることができる。音声信号は、着信メロディ、または音楽を含む楽曲等に係るものであってもよい。なお、電気信号にかかる音声信号は、電子機器１の内部メモリに記憶された音楽データに基づくものでもよいし、外部サーバ等に記憶されている音楽データがネットワークを介して再生されるものであってもよい。
【００３４】
パネル１０は、第２圧電素子３２が取り付けられた取付領域だけでなく、取付領域から離れた領域も振動する。パネル１０は、振動が発生する領域において、当該パネル１０の主面と交差する方向に振動する箇所を複数有し、当該複数の箇所の各々において、振動の振幅の値が、時間とともにプラスからマイナスに、あるいはその逆に変化する。パネル１０は、ある瞬間において、振動の振幅が相対的に大きい部分と振動の振幅が相対的に小さい部分とが一見パネル１０の略全体にランダムにあるいは周期的に分布した振動をする。すなわち、パネル１０の全域にわたって、複数の波の振動が検出される。ユーザが例えば５Ｎ〜１０Ｎの力で自身の体にパネル１０を押し付けた場合であっても、パネル１０の上述したような振動の減衰を抑えるためには、制御部５０が第２圧電素子３２に対して印加する電圧は、±１５Ｖであってよい。そのため、ユーザは、上述したパネル１０の取付領域から離れた領域に耳を接触させて音を聞くことができる。
【００３５】
図２は第１の実施形態に係る電子機器１の実装構造の一例を示す図である。図２（Ａ）は正面図であり、図２（Ｂ）は図３（Ａ）におけるＣ−Ｃ線に沿った断面図である。
【００３６】
図２に示す電子機器１は、パネル１０としてガラス板であるタッチパネルが筐体６０（例えば金属や樹脂のケース）の前面に配されたスマートフォンである。パネル１０および入力部４０は、筐体６０に支持されている。また、表示部２０、第１圧電素子３１および第２圧電素子３２は、それぞれ接合部材７０を介してパネル１０に接着されている。なお、図２（Ａ）に示す例においては、第１圧電素子３１および第２圧電素子３２は、パネルの裏面側に接着されている。このことを示すために、図２（Ａ）において、第１圧電素子３１および第２圧電素子３２は破線で示してある。接合部材７０は、熱硬化性あるいは紫外線硬化性等を有する接着剤や両面テープ等であり、例えば無色透明のアクリル系紫外線硬化型接着剤である光学弾性樹脂でもよい。パネル１０、表示部２０、第１圧電素子３１および第２圧電素子３２は、それぞれ略長方形状である。
【００３７】
図２（Ａ）に示すように、表示部２０は、パネル１０の短手方向におけるほぼ中央に配置される。また、第１圧電素子３１および第２圧電素子３２は、パネル１０の長手方向の端部から所定の距離だけ離間して、当該端部の近傍に、第１圧電素子３１および第２圧電素子３２の長手方向がパネル１０の短辺に沿うように配置される。
【００３８】
図２においては、表示部２０と第１圧電素子３１および第２圧電素子３２とは、パネル１０の裏側の面に平行な方向において並んで配置される構成を示してあるが、これらの要素の配置は図示した例に限定されるものではない。例えば、第１圧電素子３１および第２圧電素子３２の少なくとも一方は、電子機器１の長手方向（図２（Ａ）における縦方向）に平行に配置することもできる。要するに、本実施形態においては、第１圧電素子３１および第２圧電素子３２は、パネル１０に取り付けられることにより、パネル１０に振動を伝達することができるような任意の構成とすることができる。
【００３９】
また、図２においては、表示部２０は、接合部材７０を介してパネル１０の裏面側に接着される構成を示してあるが、表示部２０の配置も図示した例に限定されるものではない。例えば、表示部２０は、接合部材７０を介さずにパネル１０の裏面側に接着されるようにもできるし、パネル１０に接着するのではなく筐体６０の内部に配置されるようにもできる。表示部２０を筐体６０の内部に配置する際には、表示部２０は、筐体６０の内部に直接配置固定されるようにしたり、筐体６０の内部に配置される基板または表示部用ホルダなどに固定されるようにしたりすることができる。図２に示すように、表示部２０は、パネル１０の裏面側に配置すれば、パネル１０および表示部２０によりタッチパネルを構成する際に、表示部２０に自由なユーザインタフェースを表示して、ユーザの操作をパネル１０により検出することができる。図２（Ａ）においては、表示部２０を破線で示すことにより、表示部２０がパネル１０の裏面側に接着されている状態を示してある。
【００４０】
なお、図２においては、筐体６０およびパネル１０によって閉じられた空間内には、表示部２０、第１圧電素子３１、第２圧電素子３２、入力部４０、および接合部材７０以外の要素の図示は省略してある。したがって、電子機器１は、図２に示した以外にも、例えば、制御部５０および各種の基板または部品などの要素を備えることができる。また、図２（Ａ）において、パネル１０上において表示部２０による表示を透過させる必要がない領域（すなわちパネル１０と表示部２０とが重ならない領域）は、パネル１０の端辺付近の領域を塗装したりベゼルで覆ったりするのが好適である。このようにすれば、第１圧電素子３１および第２圧電素子３２などが電子機器１の外部から見えてしまうことを防ぐことができる。
【００４１】
次に、本実施形態に係る制御部５０が行う処理を説明する。
【００４２】
本実施形態に係る電子機器１において、制御部５０は、第２圧電素子３２を駆動することにより音を出力するように制御する。これにより、電子機器１において、第２圧電素子は、音声を出力して当該音声をユーザに伝達する機能を実現することができる。また、本実施形態に係る電子機器１において、制御部５０は、パネル１０が接触を検出すると第１圧電素子３１を駆動するように制御する。これにより、電子機器１において、第１圧電素子は、振動を発生してユーザに触感を呈示する機能を実現することができる。
【００４３】
一方、上述したように、用途の異なる複数の圧電素子を１つのパネルに貼り付けて設置すると、触感呈示用の圧電素子を駆動して振動を発生させる際に、パネルに固定された音伝達用の圧電素子が、触感呈示用の圧電素子の振動を阻害することがある。そこで、本実施形態において、制御部５０は、パネル１０が接触を検出すると、第１圧電素子３１に加えて第２圧電素子３２も駆動するように制御する。したがって、本実施形態においては、触感呈示用の圧電素子が呈示する触感が弱くなることは抑制され、ユーザが操作した際に良好な触感が得られることが期待できる。
【００４４】
（第２実施形態）
次に、本発明の第２実施形態に係る電子機器について説明する。
【００４５】
第１実施形態では、パネル１０に対する接触が検出されると、第１圧電素子３１および第２圧電素子３２を駆動するように制御した。第２実施形態では、パネル１０に対する接触が検出された時点ではまだ振動を発生させずに、パネル１０に対する接触が検出されたままパネルに対するユーザの押圧が強まってから、第１圧電素子３１および第２圧電素子３２を駆動するように制御する。
【００４６】
このような制御を実現するために、本実施形態では、パネル１０に取り付けられた第１圧電素子３１が、パネル１０に対する押圧を検出するようにする。一般的に、圧電素子は、圧力が加わると電圧を発生し、電圧が加えられると変形する。したがって、第１圧電素子３１は、振動を発生することにより触感を呈示する機能部（触感呈示部）と、パネル１０に対する押圧を検出する機能部（押圧検出部）とを兼ねるようにすることができる。
【００４７】
このような押圧検出部は、パネル１０のタッチ面に対する押圧を検出するもので、例えば、押圧に応じて物理的または電気的な特性（歪み、抵抗、電圧等）が変化する歪みゲージセンサや圧電素子等を任意の個数用いて構成することができる。
【００４８】
例えば、押圧検出部が圧電素子等を用いて構成された場合、押圧検出部の圧電素子は、パネル１０に対する押圧に係る荷重（力）の大きさ（または、荷重（力）の大きさが変化する速さ（加速度））に応じて、電気的な特性である電圧の大きさ（電圧値）が変化する。この場合、押圧検出部は、この電圧の大きさ（電圧値（以下、単にデータと称する））を制御部５０に通知することができる。制御部５０は、押圧検出部がデータを制御部５０に通知することにより、または、制御部５０が押圧検出部の圧電素子に係るデータを検出することにより、当該データを取得する。つまり、制御部５０は、パネル１０に対する押圧に基づくデータを取得する。すなわち、制御部５０は、押圧検出部から押圧に基づくデータを取得する。そして、制御部５０は、押圧に基づくデータが所定の基準を満たした場合に、ユーザの意図する操作がなされたものと判定し、所定の振動を発生することができる。ここで、上記所定の基準は、表現したい押しボタンスイッチの押圧時の荷重特性に応じて適宜設定することができる。また、押圧に基づくデータが所定の基準を満たした際とは、電圧値（データ）が所定の基準値に達した際であってもよいし、電圧値（データ）が所定の基準値を超えた際でもよいし、所定の基準値と等しい電圧値（データ）が検出された際でもよい。
【００４９】
第２実施形態においても、制御部５０は、第２圧電素子３２を駆動することにより音を出力するように制御する。これにより、電子機器１において、第２圧電素子は、音声を出力して当該音声をユーザに伝達する機能を実現することができる点については第１実施形態と同様である。
【００５０】
一方、第２実施形態では、制御部５０は、パネル１０が接触を検出したまま第１圧電素子３１が検出する押圧に基づくデータが所定の基準を満たしたら、第１圧電素子３１を駆動するように制御する。これにより、電子機器１において、第１圧電素子は、ユーザの押圧が素子に加わった状態で振動を発生してユーザに触感を呈示する機能を実現することができる。このため、第２実施形態においては、第１圧電素子が振動を発生する際の周波数、振幅、および強度などを適宜調整することにより、機械式のキーを実際に押下した際に得られるようなリアルな触感を呈示することができる。
【００５１】
そして、上述したように、用途の異なる複数の圧電素子を１つのパネルに貼り付けて設置すると、触感呈示用の圧電素子を駆動して振動を発生させる際に、パネルに固定された音伝達用の圧電素子が、触感呈示用の圧電素子の振動を阻害することがある。そこで、本実施形態において、制御部５０は、パネル１０が接触を検出したまま第１圧電素子３１が検出する押圧に基づくデータが所定の基準を満たしたら、第１圧電素子３１に加えて第２圧電素子３２も駆動するように制御する。したがって、本実施形態においても、触感呈示用の圧電素子が呈示する触感が弱くなることは抑制され、ユーザが操作した際に良好な触感が得られることが期待できる。
【００５２】
上述した第２実施形態においては、第１圧電素子が触感呈示部と押圧検出部とを兼ねる構成について説明した。しかしながら、触感呈示部を第１圧電素子に担わせて、当該触感呈示部とは別個の押圧検出部を設ける構成にしてもよい。この場合、制御部５０は、パネル１０が接触を検出しており、かつ押圧検出部が検出する押圧に基づくデータが所定の基準を満たしたら、第１圧電素子３１に加えて第２圧電素子３２も駆動するように制御するのが好適である。
【００５３】
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各構成部などに含まれる機能などは論理的に矛盾しないように再配置可能であり、複数の構成部を１つに組み合わせたり、あるいは分割したりすることが可能である。
【００５４】
例えば、上述した各実施形態においては、パネルの裏面側に配置した表示部２０にオブジェクトを表示してパネル１０がユーザの接触を検出する態様について説明した。しかしながら、本発明はこのような態様に限定されるものではなく、例えば表示部２０を有さずに、パネル１０上にオブジェクトがインクなどにより直接印刷されているような態様にも適用可能である。
【００５５】
また、上記実施形態では、パネル１０を用いて、当該パネル１０に対する接触を検出する場合について説明した。すなわち、上記実施形態においてパネル１０は、いわゆるタッチセンサのような部材を想定して説明した。しかしながら、本発明による電子機器に用いるタッチパネルは、ユーザの指やスタイラスペンなどの接触物により接触されるものであれば任意のものとすることができる。
【００５６】
例えば、本発明による電子機器に用いるパネルは、パネルに対する接触物の接触の位置を検出しない（つまりセンシング機能を有さない）部材とすることもできる。このような構成の電子機器においては、例えば、パネルに対する押圧を検出する押圧検出部をさらに設けることにより、押圧検出部が検出する押圧に基づいて、パネルに対する接触がなされたものと判定することができる。
【００５７】
また、上述した電子機器１は、パネル１０の振動により、気導音と、利用者の体の一部（例えば外耳の軟骨）を介する人体振動音とを利用者に伝えることができる。そのため、従来のダイナミックレシーバと同等の音量の音を出力する場合、パネル１０が振動することで空気の振動により電子機器１の周囲へ伝わる音は、ダイナミックレシーバと比較して少ない。したがって、例えば録音されたメッセージを電車内等で聞く場合等に適している。
【００５８】
また、上述した電子機器１は、パネル１０の振動によって人体振動音を伝えるため、例えば利用者がイヤホンまたはヘッドホンを身につけていても、それらに電子機器１を接触させることで、利用者はイヤホンまたはヘッドホンおよび体の一部を介して音を聞くことができる。
【００５９】
また、上述した電子機器１は、パネル１０の振動により利用者に音を伝える。そのため、電子機器１が別途ダイナミックレシーバを備えない場合、音声伝達のための開口部（放音口）を筐体６０に形成する必要がなく、電子機器１の防水構造が簡略化できる。尚、電子機器１がダイナミックレシーバを備える場合、放音口は、気体は通すが液体は通さない部材によって閉塞されるとよい。気体は通すが液体は通さない部材は、例えばゴアテックス（登録商標）である。
【符号の説明】
【００６０】
１  電子機器
１０  パネル
２０  表示部
３１  第１圧電素子
３２  第２圧電素子
４０  入力部
５０  制御部
６０  筐体
７０  接合部材
【図１】
2013228886.tif 000003
【図２】
2013228886.tif 000004